(57)【特許請求の範囲】
【請求項１】
Ｍ個の入力制御電圧Ｖin1〜ＶinMを供給するＭ個の制御線と（Ｍは２以上の整数）；
上記Ｍ個の入力制御電圧Ｖin1〜ＶinMを入力し、第ｊの上記入力制御電圧Ｖinjが、Ｖj(kj-1)＜Ｖinj＜Ｖj(kj)である場合（ｋは、上記Ｍ個の入力制御電圧Ｖin1〜ＶinMのそれぞれを分割した数であって、Ｎ／Ｍ以上の最小の整数、ｋｊは、１以上ｋ以下の整数）、第ｉのスイッチ回路をＯＮまたは経路を切り替えるように設定する出力信号を出力し、一方、上記Ｍ個の入力制御電圧Ｖin1〜ＶinMの少なくとも１つの入力制御電圧が、Ｖj(kj-1)＜Ｖinj＜Ｖj(kj)ではない場合、第ｉのスイッチ回路をＯＦＦまたは経路を切り替えるように設定する出力信号を出力する第ｉの制御回路ＣＯＮＴiと（ｉは１〜Ｎまでの整数）；
上記第ｉの制御回路ＣＯＮＴiの出力レベルに応じて、伝送信号のＯＮ／ＯＦＦまたは上記伝送信号の経路を切り替える第ｉのスイッチ回路ＳＷiと；
を有することを特徴とするスイッチ装置。
【請求項２】
請求項１において、
上記第ｉの制御回路ＣＯＮＴiは、
上記第ｊの入力制御電圧Ｖinjを入力し、第ｊ（ｉ−１）の基準電圧Ｖj(i-1)と比較し、この比較結果に応じて、Ｖinj＜Ｖj(i-1)である場合に、第ｉのスイッチ回路をＯＦＦまたは経路を切り替えないように設定する出力信号を出力し、Ｖinj＜Ｖj(i-1)である場合に、第ｉのスイッチ回路をＯＮまたは経路を切り替えるように設定する出力信号を出力する第ｉｊａの比較器ＣＰijaと；
上記第ｊの入力制御電圧Ｖinjを入力し、第ｊｉの基準電圧Ｖjiと比較し、この比較結果に応じて、Ｖinj＜Ｖjiである場合に、第ｉのスイッチ回路をＯＮまたは経路を切り替えるように設定する出力信号を出力し、Ｖji＜Ｖinjである場合に、第ｉのスイッチ回路をＯＦＦまたは経路を切り替えないように設定する出力信号を出力する第ｉｊｂの比較器ＣＰijbと；
上記第ｉｊａの比較器ＣＰijaの出力信号と、上記第ｉｊｂの比較器ＣＰijbの出力信号との論理積を演算し、この演算された論理積に応じて、全てのｊについてＶj(i-1)＜Ｖinj＜Ｖjiである場合にのみ、第ｉのスイッチ回路をＯＮまたは経路を切り替えるように設定し、その他の場合は、第ｉのスイッチ回路をＯＦＦまたは経路を切り替えないように設定する切替制御電圧を出力し、第ｉのスイッチ回路ＳＷiに出力する第ｉの論理回路ＬＯiと；
を有する回路であることを特徴とするスイッチ装置。
【請求項３】
請求項１において、
上記第ｉの制御回路ＣＯＮＴiは、
上記第ｊの入力制御電圧Ｖinjを入力し、第ｊ（ｉ−１）の基準電圧Ｖj(i-1)と比較し、この比較結果に応じて、Ｖinj＜Ｖj(i-1)である場合に、第ｉＭａのスイッチ回路をＯＦＦまたは経路を切り替えないように設定する出力信号を出力し、Ｖj(i-1)＜Ｖinjである場合に、第ｉＭａのスイッチ回路をＯＮまたは経路を切り替えるように設定する出力信号を出力するＭ個の第ｉＭａの比較器ＣＰiMaと、上記第ｊの入力制御電圧Ｖinjを入力し、第ｊｉの基準電圧Ｖjiと比較し、この比較結果に応じて、Ｖinj＜Ｖjiである場合に、第ｉＭｂのスイッチ回路をＯＮまたは経路を切り替えるように設定する出力信号を出力し、Ｖji＜Ｖinjである場合に、第ｉＭｂのスイッチ回路をＯＦＦまたは経路を切り替えないように設定する出力信号を出力するＭ個の第ｉＭｂの比較器ＣＰiMbとを有し、
上記第ｉのスイッチ回路ＳＷiは、
上記第ｉＭａの比較器ＣＰiMaの出力信号によって制御されるＭ個の上記第ｉＭａのスイッチ回路ＳＷiMaと、上記第ｉＭｂの比較器ＣＰiMbの出力信号によって制御されるＭ個の上記第ｉＭｂのスイッチ回路ＳＷiMbとを有し、
Ｍ個の上記第ｉＭａのスイッチ回路ＳＷiMaと、Ｍ個の上記第ｉＭｂのスイッチ回路ＳＷiMbとは、互いに縦続接続されていることを特徴とするスイッチ装置。
【発明の詳細な説明】
【０００１】
【発明の属する技術分野】
本発明は、ハイレベルまたはローレベルの２値の入力制御電圧によって出力を切り替えるスイッチ回路を複数有するスイッチ装置に関する。
【０００２】
【従来の技術】
図７は、従来のスイッチ装置ＳＳを示す図である。
【０００３】
従来のスイッチ装置ＳＳは、ハイレベルまたはローレベルの２値の切替制御電圧によって出力を切り替えるスイッチ回路ｓｗ１  〜ｓｗＮ  が複数設けられ、これら複数のスイッチ回路ｓｗ１  〜ｓｗＮ  のそれぞれを個別に制御する入力制御電圧を供給する制御線がＮ個設けられている。そして、これら複数のスイッチ回路ｓｗ１  〜ｓｗＮ  のうちの任意のスイッチ回路のＯＮ／ＯＦＦを制御する場合、上記任意のスイッチ回路に対応する制御線に入力制御電圧を供給する。
【０００４】
【発明が解決しようとする課題】
上記のように、従来のスイッチ装置ＳＳにおいて、任意のスイッチ回路を独立して制御するためには、Ｎ個の制御線のそれぞれに、互いに独立な入力制御電圧Ｖｉｎ１  〜ＶｉｎＮ  を供給している。
【０００５】
したがって、上記従来例においては、スイッチ回路数が増大した大規模な装置を構成する場合、制御線の数が多くなり、これら制御線の配線が複雑になるという問題が生じるばかりでなく、制御線の占有面積が大きくなり、スイッチ装置ＳＳ全体の小型化に大きな障害となるという問題がある。
【０００６】
本発明は、複数のスイッチ回路と、対応するスイッチ回路に切替制御電圧を供給する複数の制御回路とを有するスイッチ装置において、制御回路に接続される制御線の数を少なくし、これら制御線の配線を簡素にし、制御線の占有面積を少なくし、スイッチ装置全体を小型化することができるスイッチ装置を提供することを目的とするものである。
【０００７】
【課題を解決するための手段】
本発明は、Ｍ個の入力制御電圧Ｖin1〜ＶinMを供給するＭ個の制御線と（Ｍは２以上の整数）、上記Ｍ個の入力制御電圧Ｖin1〜ＶinMを入力し、第ｊの上記入力制御電圧Ｖinjが、Ｖj(kj-1)＜Ｖinj＜Ｖj(kj)である場合（ｋは、上記Ｍ個の入力制御電圧Ｖin1〜ＶinMのそれぞれを分割した数であって、Ｎ／Ｍ以上の最小の整数、ｋｊは、１以上ｋ以下の整数）、第ｉのスイッチ回路をＯＮまたは経路を切り替えるように設定する出力信号を出力し、一方、上記Ｍ個の入力制御電圧Ｖin1〜ＶinMの少なくとも１つの入力制御電圧が、Ｖj(kj-1)＜Ｖinj＜Ｖj(kj)ではない場合、第ｉのスイッチ回路をＯＦＦまたは経路を切り替えるように設定する出力信号を出力する第ｉの制御回路ＣＯＮＴiと（ｉは１〜Ｎまでの整数）、上記第ｉの制御回路ＣＯＮＴiの出力レベルに応じて、伝送信号のＯＮ／ＯＦＦまたは上記伝送信号の経路を切り替える第ｉのスイッチ回路ＳＷiとを有するスイッチ装置である。
【０００８】
【発明の実施の形態および実施例】
図１は、本発明の第１の実施例であるスイッチ装置ＳＳ１を示すブロック図である。
【０００９】
スイッチ装置ＳＳ１は、入力制御電圧Ｖｉｎ１  、Ｖｉｎ２  をそれぞれ供給する制御線Ｌ１  、Ｌ２  と、制御回路ＣＯＮＴ１  〜ＣＯＮＴＮ  とを使用することによって、Ｎ個のスイッチ回路ＳＷ１  〜ＳＷＮ  を制御するものである。
【００１０】
第ｉの制御回路ＣＯＮＴｉ  は、第ｉ１ａの比較器ＣＰｉ１ａ  と、第ｉ１ｂの比較器ＣＰｉ１ｂ  と、第ｉ２ａの比較器ＣＰｉ２ａ  と、第ｉ２ｂの比較器ＣＰｉ２ｂ  と、論理回路ＬＯ１  とを有する。
【００１１】
第ｉ１ａの比較器ＣＰｉ１ａ  は、第１の入力制御電圧Ｖｉｎ１  と基準電圧Ｖ１（ｉ−１）とを比較し、Ｖｉｎ１  ＜Ｖ１（ｉ−１）である場合に、「Ｌ」（ローレベル）を出力し、Ｖ１（ｉ−１）＜Ｖｉｎ１  である場合に、「Ｈ」（ハイレベル）を出力するものである。第ｉ１ｂの比較器ＣＰｉ１ｂ  は、第１の入力制御電圧Ｖｉｎ１  と基準電圧Ｖ１ｉとを比較し、Ｖｉｎ１  ＜Ｖ１ｉである場合に、「Ｈ」を出力し、Ｖ１ｉ＜Ｖｉｎ１  である場合に、「Ｌ」を出力するものである。第ｉ２ａの比較器ＣＰｉ２ａ  は、第２の入力制御電圧Ｖｉｎ２  と基準電圧Ｖ２（ｉ−１）とを比較し、Ｖｉｎ２  ＜Ｖ２（ｉ−１）である場合に、「Ｌ」を出力し、Ｖ２（ｉ−１）＜Ｖｉｎ１  である場合に、「Ｈ」を出力するものである。第ｉ２ｂの比較器ＣＰｉ２ｂ  は、第２の入力制御電圧Ｖｉｎ２  と基準電圧Ｖ２ｉとを比較し、Ｖｉｎ２  ＜Ｖ２ｉである場合に、「Ｈ」を出力し、Ｖ２ｉ＜Ｖｉｎ２  である場合に、「Ｌ」を出力するものである。
【００１２】
なお、基準電圧Ｖ１（ｉ−１）、Ｖ１ｉ、Ｖ２（ｉ−１）、Ｖ２ｉは、制御回路ＣＯＮＴｉ  の内部で発生するか、または、その制御回路ＣＯＮＴｉ  の外部から供給されるものである。
【００１３】
第ｉの論理回路ＬＯｉ  は、第ｉ１ａの比較器ＣＰｉ１ａ  の出力信号と、第ｉ１ｂの比較器ＣＰｉ１ｂ  の出力信号と、第ｉ２ａの比較器ＣＰｉ２ａ  の出力信号と、第ｉ２ｂの比較器ＣＰｉ２ｂ  の出力信号との論理積を演算するものである。
【００１４】
図２は、スイッチ装置ＳＳ１において、入力制御電圧Ｖｉｎ１  の値と、入力制御電圧Ｖｉｎ２  の値とに応じて、制御回路ＣＯＮＴ１  の出力信号が変化する様子を説明する図である。
【００１５】
第ｉ１ａの比較器ＣＰｉ１ａ  と第ｉ１ｂの比較器ＣＰｉ１ｂ  と第ｉ２ａの比較器ＣＰｉ２ａ  と第ｉ２ｂの比較器ＣＰｉ２ｂ  との出力信号について、それらの論理積を第ｉの論理回路ＬＯｉ  が演算した場合、入力制御電圧Ｖｉｎ１  の値と、入力制御電圧Ｖｉｎ２  の値とがともに、図２に斜線で示す領域内に存在すれば、第ｉの論理回路ＬＯｉ  が「Ｈ」を出力し、一方、入力制御電圧Ｖｉｎ１  の値と、入力制御電圧Ｖｉｎ２  の値とのうち少なくとも一方が、図２に斜線で示す領域外に存在すれば、第ｉの論理回路ＬＯｉ  が「Ｌ」を出力する。
【００１６】
ここで、第１の入力制御電圧Ｖｉｎ１  は、Ｖ１０、Ｖ１１、Ｖ１２、……、Ｖ１（ｋｊ）  、……、Ｖ１ｋのように、ｋ個に分割され、その最低電圧がＶ１０であり、その最高電圧がＶ１ｋであり、ｋｊは、１〜ｋのうちの整数である。また、第２の入力制御電圧Ｖｉｎ２  は、Ｖ２０、Ｖ２１、Ｖ２２、……、Ｖ２（ｋｊ）  、……、Ｖ２ｋのように、ｋ個に分割され、その最低電圧がＶ２０であり、その最高電圧がＶ２ｋである。
【００１７】
なお、図２における入力制御電圧Ｖ１（ｋｊ）  は、上記説明における基準電圧Ｖ１ｉと同じであり、図２における入力制御電圧Ｖ２（ｋｊ）  は、上記説明における基準電圧Ｖ２ｉと同じである。
【００１８】
スイッチ回路ＳＷ１  〜ＳＷＮ  のそれぞれは、制御回路ＣＯＮＴ１  〜ＣＯＮＴＮ  から受けた切替制御電圧が「Ｈ」であるならばＯＮし、「Ｌ」であるならばＯＦＦするものである。
【００１９】
次に、スイッチ装置ＳＳ１の動作について説明する。
【００２０】
まず、制御回路ＣＯＮＴｉ  に着目すると、第１の入力制御電圧Ｖｉｎ１  が制御線Ｌ１  を介して、比較器ＣＰｉ１ａ  、ＣＰｉ１ｂ  に供給され、Ｖ１（ｉ−１）＜Ｖｉｎ１  ＜Ｖ１ｉであれば、比較器ＣＰｉ１ａ  、ＣＰｉ１ｂ  がともに「Ｈ」を出力し、それ以外の場合であれば、比較器ＣＰｉ１ａ  、ＣＰｉ１ｂ  の少なくとも一方が「Ｌ」を出力する。
【００２１】
また、第２の入力制御電圧Ｖｉｎ２  が制御線Ｌ２  を介して、比較器ＣＰｉ２ａ  、ＣＰｉ２ｂ  に供給され、Ｖ２（ｉ−１）＜Ｖｉｎ２  ＜Ｖ２ｉであれば、比較器ＣＰｉ２ａ  、ＣＰｉ２ｂ  がともに「Ｈ」を出力し、それ以外の場合であれば、比較器ＣＰｉ２ａ  、ＣＰｉ２ｂ  の少なくとも一方が「Ｌ」を出力する。
【００２２】
したがって、Ｖ１（ｉ−１）＜Ｖｉｎ１  ＜Ｖ１ｉであり、しかもＶ２（ｉ−１）＜Ｖｉｎ２  ＜Ｖ２ｉである場合にのみ、第ｉのスイッチ回路ＳＷｉ  がＯＮし、他の場合（つまりＶ１（ｉ−１）＜Ｖｉｎ１  ＜Ｖ１ｉでないか、または、Ｖ２（ｉ−１）＜Ｖｉｎ２  ＜Ｖ２ｉでない場合）には、第ｉのスイッチ回路ＳＷｉ  がＯＦＦする。
【００２３】
スイッチ装置ＳＳ１においては、複数のスイッチ回路と、対応するスイッチ回路に切替制御電圧を供給する複数の制御回路とを有するスイッチ装置において、制御回路に接続される制御線の数を少なくすることができ、これら制御線の配線を簡素にすることができ、制御線の占有面積を少なくし、スイッチ装置全体を小型化することができる。
【００２４】
図３は、本発明の第２の実施例であるスイッチ装置ＳＳ２を示すブロック図である。
【００２５】
スイッチ装置ＳＳ２は、基本的には、スイッチ装置ＳＳ１と同じであるが、スイッチ装置ＳＳ１における制御回路ＣＯＮＴｉ  から論理回路ＬＯｉ  を削除し、スイッチ装置ＳＳ１におけるスイッチ回路ＳＷｉ  を、スイッチ回路ＳＷｉ１ａ  ＳＷｉ１ｂ  ＳＷｉ２ａ  ＳＷｉ２ｂ  の縦続回路（直列回路）によって構成し、比較回路ＣＰｉ１ａ  がスイッチ回路ＳＷｉ１ａ  を制御し、比較回路ＣＰｉ１ｂ  がスイッチ回路ＳＷｉ１ｂ  を制御し、比較回路ＣＰｉ２ａ  がスイッチ回路ＳＷｉ２ａ  を制御し、比較回路ＣＰｉ２ｂ  がスイッチ回路ＳＷｉ２ｂ  を制御する点がスイッチ装置ＳＳ１とは異なる点である。また、スイッチ回路ＳＷｉ１ａ  、ＳＷｉ１ｂ  、ＳＷｉ２ａ  、ＳＷｉ２ｂ  のそれぞれは、制御回路ＣＯＮＴｉ  から受けた切替制御電圧が「Ｈ」ならばＯＮし、「Ｌ」ならばＯＦＦするものである。
【００２６】
次に、スイッチ装置ＳＳ２の動作について説明する。
【００２７】
４つのスイッチ回路ＳＷｉ１ａ  、ＳＷｉ１ｂ  、ＳＷｉ２ａ  、ＳＷｉ２ｂ  が縦続接続されているので、第ｉ１ａのスイッチ回路ＳＷｉ１ａ  への入力端子から、第ｉのスイッチ回路内の第ｉ２ｂのスイッチ回路ＳＷｉ２ｂ  の出力端子までの全体で、ＯＮ／ＯＦＦを考えると、４つのスイッチ回路ＳＷｉ１ａ  ＳＷｉ１ｂ  ＳＷｉ２ａ  ＳＷｉ２ｂ  の全てがＯＮである場合に、スイッチ回路ＳＷｉ  の全体でＯＮし、それ以外である場合（４つのスイッチ回路ＳＷｉ１ａ  〜ＳＷｉ２ｂ  の１つでもＯＦＦである場合）には、スイッチ回路ＳＷｉ  の全体でＯＦＦする。
【００２８】
したがって、Ｖ１（ｉ−１）＜Ｖｉｎ１  ＜Ｖ１ｉであり、しかもＶ２（ｉ−１）＜Ｖｉｎ２  ＜Ｖ２ｉである場合にのみ、第ｉのスイッチ回路ＳＷｉ  がＯＮし、他の場合（Ｖ１（ｉ−１）＜Ｖｉｎ１  ＜Ｖ１ｉでないか、または、Ｖ２（ｉ−１）＜Ｖｉｎ２  ＜Ｖ２ｉでない場合）には、第ｉのスイッチ回路ＳＷｉ  がＯＦＦする。
【００２９】
よって、スイッチ装置ＳＳ１において使用されている論理回路ＬＯ１  の機能（論理積を行う機能）と同様の機能を、スイッチ装置ＳＳ２において縦続接続されている４つのスイッチ回路ＳＷｉ１ａ  〜ＳＷｉ２ｂ  によって実現でき、全体でＯＮとなるのは、図２に示す斜線部分の状態であり、スイッチ装置ＳＳ１における動作と同様の動作が実現される。
【００３０】
また、スイッチ装置ＳＳ２において、スイッチ装置ＳＳ１において使用されている論理回路ＬＯ２  、ＬＯ３  、……、ＬＯＮ  の機能（論理積を行う機能）と同様の機能を、縦続接続されている４つのスイッチ回路ＳＷ１１ａ  〜ＳＷ１２ｂ  、ＳＷ２１ａ  〜ＳＷ２２ｂ  、……、ＳＷＮ１ａ  〜ＳＷＮ２ｂ  によって実現でき、全体でＯＮになるのは、図２に示す斜線部分の状態であり、スイッチ装置ＳＳ１における動作と同様の動作を実行する。
【００３１】
スイッチ装置ＳＳ２によれば、スイッチ装置ＳＳ１と同様に、給電すべき入力制御電圧Ｖｉｎ１  、Ｖｉｎ２  の値を所定の値に変えることによって、スイッチ回路ＳＷ１  〜ＳＷＮ  のうちの所望の１つのスイッチ回路のみの動作を制御することができ、制御線Ｌは１本で足り、しかも、論理回路ＬＯｉ  を設ける必要がない。
【００３２】
図４は、上記実施例を一般的に表現した第３の実施例であるスイッチ装置ＳＳ３を示す図である。
【００３３】
スイッチ装置ＳＳ３は、基本的には、スイッチ装置ＳＳ１と同じであるが、入力制御電圧として、Ｍ個の入力制御電圧Ｖｉｎ１  、Ｖｉｎ２  、……、Ｖｉｎｉ  、……、ＶｉｎＭ  を設け、上位概念で記載された実施例であり、第ｉの制御回路ＣＯＮＴｉ  は、Ｍ個の入力制御電圧Ｖｉｎ１  〜ＶｉｎＭ  を入力し、Ｍ個の電圧の状態によって出力を切り替えるものである。
【００３４】
つまり、スイッチ装置ＳＳ３は、Ｍ個の入力制御電圧Ｖｉｎ１  〜ＶｉｎＭ  を供給するＭ個の制御線と（Ｍは２以上の整数）、Ｍ個の入力制御電圧Ｖｉｎ１  〜ＶｉｎＭ  を入力し、第ｊの上記入力制御電圧Ｖｉｎｊ  が、Ｖｊ（ｋｊ−１）  ＜Ｖｉｎｊ  ＜Ｖｊ（ｋｊ）  である場合（ｋは、Ｎ／Ｍ以上の最小の整数、ｋｊは、１以上ｋ以下の整数）、ハイレベルまたはローレベルを出力し、Ｍ個の入力制御電圧Ｖｉｎ１  〜ＶｉｎＭ  の少なくとも１つの電圧が、Ｖｊ（ｋｊ−１）  ＜Ｖｉｎｊ  ＜Ｖｊ（ｋｊ）  ではない場合、ローレベルまたはハイレベルを出力する第ｉの制御回路ＣＯＮＴｉ  と（ｉは１〜Ｎまでの整数）、第ｉの制御回路ＣＯＮＴｉ  の出力信号のレベルに応じて、伝送信号のＯＮ／ＯＦＦまたは伝送信号の経路を切り替える第ｉのスイッチ回路ＳＷｉ  とを有するスイッチ装置である。
【００３５】
そして、Ｍ個の入力制御電圧Ｖｉｎ１  〜ＶｉｎＭ  のうちの第ｊの入力制御電圧Ｖｉｎｊ  が、ｋ分割されたうちで、Ｖｊ（ｋｊ−１）  ＜Ｖｉｎｊ  ＜Ｖｊ（ｋｊ）  である場合、「Ｈ」を出力する。なお、ｋは、Ｎ／Ｍ以上の最小の整数であり、ｋｊは、１からｋまでの整数のうちの１つである。スイッチ装置ＳＳ３において、Ｍ個の入力制御電圧の電圧状態の組み合わせは、ｋ×Ｍ個であり、このｋ×Ｍ個は、Ｎ個以上であるので、Ｎ個のスイッチ回路を独立に制御することができる。
【００３６】
図５は、本発明の第４の実施例であるスイッチ装置ＳＳ４を示す図である。
【００３７】
スイッチ装置ＳＳ４は、基本的には、スイッチ装置ＳＳ１と同じであるが、入力制御電圧として、Ｍ個の入力制御電圧Ｖｉｎ１  、Ｖｉｎ２  、……、Ｖｉｎｉ  、……、ＶｉｎＭ  を設け、スイッチ回路ＳＳ３を一般的に記載したものであり、第ｉの制御回路ＣＯＮＴｉ  は、Ｍ個の入力制御電圧Ｖｉｎ１  〜ＶｉｎＭ  を入力し、Ｍ個の電圧値に応じて出力（切替制御電圧）を制御するものである。
【００３８】
つまり、第ｉの制御回路ＣＯＮＴｉ  は、第ｊの入力制御電圧Ｖｉｎｊ  を入力し、第ｊ（ｉ−１）の基準電圧Ｖｊ（ｉ−１）と比較し、「Ｌ」または「Ｈ」を出力する第ｉｊａの比較器ＣＰｉｊａ  と、第ｊの入力制御電圧Ｖｉｎｊ  を入力し、第ｊｉの基準電圧Ｖｊｉと比較し、「Ｌ」または「Ｈ」を出力する第ｉｊｂの比較器ＣＰｉｊｂ  と、第ｉｊａの比較器ＣＰｉｊａ  の出力信号と、第ｉｊｂの比較器ＣＰｉｊｂ  の出力信号との論理積を演算し、「Ｈ」または「Ｌ」の切替制御電圧を出力し、第ｉのスイッチ回路ＳＷｉ  に出力する第ｉの論理回路ＬＯｉ  を有する回路である。
【００３９】
第ｉの制御回路ＣＯＮＴｉ  において、第ｊの入力制御電圧Ｖｉｎｊ  を入力する２つの比較器ＣＰｉｊａ  、ＣＰｉｊｂ  のうちで、第ｉｊａの比較器ＣＰｉｊａ  は、基準電圧Ｖｊ（ｉ−１）と比較し、Ｖｉｎｊ  ＜Ｖｊ（ｉ−１）である場合に、「Ｌ」を出力し、Ｖｉｎｊ  ＞Ｖｊ（ｉ−１）である場合に、「Ｈ」を出力するものである。
【００４０】
また、第ｊの入力制御電圧Ｖｉｎｊ  を入力する２つの比較器ＣＰｉｊａ  、ＣＰｉｊｂ  のうちで、第ｉｊｂの比較器ＣＰｉｊｂ  は、基準電圧Ｖｉｊｂ  と比較し、Ｖｉｎｊ  ＜Ｖｉｊである場合に、「Ｈ」を出力し、Ｖｉｎｊ  ＞Ｖｉｊｂ  である場合に、「Ｌ」を出力するものである。
【００４１】
スイッチ装置ＳＳ４において、２Ｍ個の比較器ＣＰｉ１ａ  、ＣＰｉ１ｂ  、ＣＰｉ２ａ  、ＣＰｉ２ｂ  、……、ＣＰｉＭａ  、ＣＰｉＭｂ  の出力信号の論理積を、第ｉの論理回路ＬＯｉ  が演算すれば、Ｍ個の入力制御電圧の電圧状態の組み合わせは、ｋ×Ｍ個であり、このｋ×Ｍ個は、Ｎ個以上であるので、Ｎ個のスイッチ回路を独立に制御することができる。
【００４２】
図６は、本発明の第５の実施例であるスイッチ装置ＳＳ５を示す図である。
【００４３】
スイッチ装置ＳＳ５は、基本的には、スイッチ装置ＳＳ２と同じであるが、入力制御電圧として、Ｍ個の入力制御電圧Ｖｉｎ１  、Ｖｉｎ２  、……、Ｖｉｎｉ  、……、ＶｉｎＭ  を設け、スイッチ装置ＳＳ２を一般的に表現したものである。第ｉの制御回路ＣＯＮＴｉ  は、Ｍ個の入力制御電圧Ｖｉｎ１  〜ＶｉｎＭ  を入力し、Ｍ個の電圧値に応じて、出力信号（切替制御電圧）を制御するものである。
【００４４】
つまり、第ｉの制御回路ＣＯＮＴｉ  は、第ｊの入力制御電圧Ｖｉｎｊ  を入力し、第ｊ（ｉ−１）の基準電圧Ｖｊ（ｉ−１）と比較し、この比較結果に応じて、「Ｌ」または「Ｈ」を出力する第ｉ１ａの比較器ＣＰｉ１ａ  と、……、第ｊの入力制御電圧Ｖｉｎｊ  を入力し、第ｊｉの基準電圧Ｖｊｉと比較し、この比較結果に応じて、ローレベルまたはハイレベルを出力する第ｉＭｂの比較器ＣＰｉＭｂ  とを有するものである。また、第ｉのスイッチ回路ＳＷｉ  は、上記第ｉＭａの比較器ＣＰｉＭａ  の出力信号によって制御される第ｉＭａのスイッチ回路ＳＷｉＭａ  と、……、上記第ｉＭｂの比較器ＣＰｉＭｂ  の出力信号によって制御される第ｉＭｂのスイッチ回路ＳＷｉＭｂ  とを有し、第ｉＭａのスイッチ回路ＳＷｉＭａ  と、……、第ｉＭｂのスイッチ回路ＳＷｉＭｂ  とは、互いに縦続接続されている。つまり、２Ｍ個のスイッチ回路ＳＷｉ１ａ  、ＳＷｉ１ｂ  、ＳＷｉ２ａ  、ＳＷｉ２ｂ  、……、ＳＷｉＭａ  、ＳＷｉＭｂ  は、互いに縦続接続されている。
【００４５】
スイッチ装置ＳＳ５における第ｉの制御回路ＣＯＮＴｉ  において、第ｊの入力制御電圧Ｖｉｎｊ  を入力する２つの比較器のうちの第ｉｊａの比較器ＣＰｉｊａ  は、第ｊ（ｉ−１）の基準電圧Ｖｊ（ｉ−１）と比較し、Ｖｉｎｊ  ＜Ｖｊ（ｉ−１）である場合、「Ｌ」を出力し、Ｖｉｎｊ  ＞Ｖｊ（ｉ−１）である場合、「Ｈ」を出力するものである。
【００４６】
また、スイッチ装置ＳＳ５における第ｉの制御回路ＣＯＮＴｉ  において、第ｊの入力制御電圧Ｖｉｎｊ  を入力する２つの比較器のうちの第ｉｊｂの比較器ＣＰｉｊｂ  は、第ｊｉの基準電圧Ｖｊｉと比較し、Ｖｉｎｊ  ＜Ｖｊｉである場合に、「Ｈ」を出力し、Ｖｉｎｊ  ＞Ｖｊ１である場合に、「Ｌ」を出力するものである。
【００４７】
それぞれに接続されているスイッチ回路が入力する切替制御電圧が「Ｈ」ならば、そのスイッチ回路がＯＮし、その切替制御電圧が「Ｌ」ならば、そのスイッチ回路がＯＦＦする。この場合、２Ｍ個のスイッチ回路の組み合わせは、ｋ×Ｍ個であり、このｋ×Ｍ個は、Ｎ個よりも多いので、スイッチ装置ＳＳ５において、Ｎ個のスイッチ回路を互いに独立に制御することができる。
【００４８】
つまり、スイッチ装置ＳＳ５において、第ｉの制御回路ＣＯＮＴｉ  は、第ｊの入力制御電圧Ｖｉｎｊ  を入力し、第ｊ（ｉ−１）の基準電圧Ｖｊ（ｉ−１）と比較し、この比較結果に応じて、ローレベルまたはハイレベルを出力するＭ個の第ｉＭａの比較器ＣＰｉＭａ  と、第ｊの入力制御電圧Ｖｉｎｊ  を入力し、第ｊｉの基準電圧Ｖｊｉと比較し、この比較結果に応じて、ローレベルまたはハイレベルを出力するＭ個の第ｉＭｂの比較器ＣＰｉＭｂ  とを有する制御回路であり、第ｉのスイッチ回路ＳＷｉ  は、第ｉＭａの比較器ＣＰｉＭａ  の出力信号によって制御されるＭ個の第ｉＭａのスイッチ回路ＳＷｉＭａ  と、第ｉＭｂの比較器ＣＰｉＭｂ  の出力信号によって制御されるＭ個の第ｉＭｂのスイッチ回路ＳＷｉＭｂ  とを有するスイッチ回路であり、Ｍ個の第ｉＭａのスイッチ回路ＳＷｉＭａ  と、Ｍ個の第ｉＭｂのスイッチ回路ＳＷｉＭｂ  とは、互いに縦続接続されている。
【００４９】
【発明の効果】
本発明によれば、複数のスイッチ回路と、対応するスイッチ回路に切替制御電圧を供給する複数の制御回路とを有するスイッチ装置において、制御回路に接続される制御線の数を少なくし、これら制御線の配線を簡素にすることができ、制御線の占有面積を少なくし、スイッチ装置全体を小型化することができるという効果を奏する。
【図面の簡単な説明】
【図１】本発明の第１の実施例であるスイッチ装置ＳＳ１を示すブロック図である。
【図２】スイッチ装置ＳＳ１において、入力制御電圧Ｖｉｎ１  の値と、入力制御電圧Ｖｉｎ２  の値とに応じて、制御回路ＣＯＮＴ１  の出力信号が変化する様子を説明する図である。
【図３】本発明の第２の実施例であるスイッチ装置ＳＳ２を示すブロック図である。
【図４】上記実施例を一般的に表現した第３の実施例であるスイッチ装置ＳＳ３を示す図である。
【図５】本発明の第４の実施例であるスイッチ装置ＳＳ４を示す図である。
【図６】本発明の第５の実施例であるスイッチ装置ＳＳ５を示す図である。
【図７】従来のスイッチ装置ＳＳを示す図である。
【符号の説明】
ＳＳ１〜ＳＳ５…スイッチ装置、
ＳＷ１  〜ＳＷＮ  …スイッチ回路、
ＣＯＮＴ１  〜ＣＯＮＴＮ  …制御回路、
ＬＯ１  〜ＬＯＮ  …論理回路、
ＣＰ１１ａ  〜ＣＰＮ２ｂ  …比較器、
Ｌ、Ｌ１  、Ｌ２  〜ＬＭ  …制御線、
Ｖｉｎ、Ｖｉｎ１  、Ｖｉｎ２  〜ＶｉｎＭ  …入力制御電圧、
Ｖ１０〜Ｖ１ｋ、Ｖ２０〜Ｖ２ｋ…基準電圧。
【図１】
0003562750.tif 000002
【図２】
0003562750.tif 000003
【図３】
0003562750.tif 000004
【図４】
0003562750.tif 000005
【図５】
0003562750.tif 000006
【図６】
0003562750.tif 000007
【図７】
0003562750.tif 000008